(57)【要約】【課題】洗浄性能の向上したドラム式洗濯機を提供すること。【解決手段】水受け槽２に溜まっている洗浄水およびすすぎ水を回転ドラム３内に循環させる循環ポンプ１０を備え、制御手段１４は、洗い工程完了後の洗浄水の排水において、所定水位で排水を停止した状態で、洗い工程後の１回目の脱水前のバランスコントロール動作を開始し、バランスコントロール動作時に循環ポンプ１０を駆動させる。これによって、排水工程において洗濯物に洗浄水の吸水と脱水が繰り返さ、洗浄性能を向上することができる。【選択図】図２
2013013537.tif 000002
【特許請求の範囲】
【請求項１】
水受け槽内に回転自在に配設した回転ドラムと、
前記回転ドラムを駆動するモータと、
前記水受け槽内に給水する給水手段と、
前記水受け槽内の洗浄水およびすすぎ水を排水する排水手段と、
前記水受け槽に溜まっている洗浄水およびすすぎ水を前記回転ドラム内に循環させる循環ポンプと、
前記モータ、前記循環ポンプ、記給水手段、前記排水手段を制御し、洗い工程、すすぎ工程、脱水工程の各工程を制御する制御手段とを備え、
前記制御手段は、前記洗い工程完了後の前記洗浄水の排水時において、所定水位で前記排水を停止した状態で、前記回転ドラムの回転数を上昇させる工程を含む中間脱水のためのバランスコントロール動作を開始し、前記バランスコントロール動作時に前記循環ポンプを駆動させるドラム式洗濯機。
【請求項２】
前記制御手段は、前記バランスコントロール動作時における前記回転ドラムの回転数増加中に、前記循環ポンプの駆動により前記回転ドラムの回転数が失速する回転数よりも低い所定回転数で前記循環ポンプを停止させる請求項１に記載のドラム式洗濯機。
【請求項３】
洗濯物の布量を検知する布量検知手段をさらに備え、
前記制御手段は、前記布量検知手段により前記所定回転数を決定する請求項２に記載のドラム式洗濯機。
【請求項４】
前記制御手段は、前記バランスコントロール動作時の前記循環ポンプ停止後に前記排水を開始する請求項１〜３のいずれか１項に記載のドラム式洗濯機。
【請求項５】
前記制御手段は、前記バランスコントロール動作時の循環ポンプ停止前に前記排水を開始する請求項１〜３のいずれか１項に記載のドラム式洗濯機。
【請求項６】
前記制御手段は、前記バランスコントロール動作後に、中間脱水回転数まで前記回転ドラムの回転数を増加させる請求項４または５に記載のドラム式洗濯機。
【請求項７】
前記回転ドラムの回転軸を前上がりに傾斜させた請求項１〜６のいずれか１項に記載のドラム式洗濯機。
【発明の詳細な説明】
【技術分野】
【０００１】
本発明は、回転ドラム内に洗濯物を投入し、洗い、すすぎ、脱水などの各工程を逐次制御して洗濯するドラム式洗濯機に関する。
【背景技術】
【０００２】
従来のドラム式洗濯機においては、洗濯物を回転自在に設置された洗濯槽に投入した後、給水手段によって洗濯機外部より水道水が供給され、あらかじめ既定量の洗剤が投入されている洗剤入れを介して洗濯槽を収容する受け筒または洗濯槽に注水される。注水後は、洗濯槽を低速で回転させながら、洗濯物を十分に洗浄水で濡らした後、洗濯槽を一定時間、洗濯物が洗濯槽壁面に張り付かない程度の低速で回転させながら、タンブリング効果と呼ばれる、濡れた洗濯物が回転に伴って洗濯槽の上部より落下する際の衝撃によって汚れを落とし洗浄性能を上げている。このようなドラム式の洗濯機においては、特に洗濯物の量が多い場合には洗濯物を濡らす工程において、洗濯槽内に投入された衣類を均一に濡らすことが困難であり、洗いムラが発生し、洗浄性能が著しく低下するといった課題が存在した。このような課題に対して、洗浄性能を向上させるため、該洗濯機に、受け筒底部に溜まった洗剤が溶解している洗浄水を汲み上げる循環ポンプと前記循環ポンプから送られてくる洗浄水を洗濯槽内に向かって吐出するノズル及びこれらを繋ぎ洗浄水を循環させるための循環機構を設けることにより、洗い工程時に洗濯槽の回転と併せて前記洗浄水を洗濯物に対して吐出させる方式が提案されている（たとえば、特許文献１参照）。
【０００３】
図４は特許文献１に記載された従来のドラム式洗濯機の循環水の吐出方法を示した側断面概略図である。図４に示されるように主として筐体１０１、洗濯槽１０２、受け筒１０３、モータ１０４、循環ポンプ１０５、循環経路１０６、吐出口１０７、給水弁１０８、扉１０９、モータプーリ１１０、駆動ベルト１１１、駆動プーリ１１２、排水弁Ａ１１３、排水弁Ｂ１１４、止水弁１１５から構成されている。図４中、破線矢印は吐出される循環水を示している。以下に特許文献１で示された洗い時における動作工程を簡便に述べる。
【０００４】
洗濯槽１０２内に投入された洗濯物量に対して適切な水が給水弁１０８を通じて給水された後、モータ１０４を駆動させ、洗濯物がタンブリング可能な回転数で洗濯槽１０２が回転する。洗濯槽１０２の回転は、モータ１０４の駆動軸と機構的に接続されたモータプーリ１１０が、モータ駆動軸の回転と共に回転し、駆動ベルト１１１を通じて洗濯槽１０２と機構的に接続されている駆動プーリ１１２へと動力が伝達され、駆動プーリ１１２及び洗濯槽１０２が回転することとなる。
【０００５】
洗濯槽１０２の回転が始まり、一定時間経過後に排水弁Ａ１１３が開くと共に排水弁Ｂ１１４が閉じ、止水弁１１５が開かれた後、循環ポンプ１０５を駆動させて、洗剤が溶解している洗浄水を循環経路１０６へと送り出し、吐出口１０７より洗濯槽１０２内に吐出される。この際に、本提案においては異なる吐出口の開口方向を持たせていることで、洗濯槽１０２の扉１０９から奥行き方向に対しても吐出され、素早く、かつ広い範囲に渡って洗濯物１１６を濡らすことができ、洗浄性能を向上させることが可能である。
【先行技術文献】
【特許文献】
【０００６】
【特許文献１】特開平１０−１２７９７８号公報
【発明の概要】
【発明が解決しようとする課題】
【０００７】
しかしながら、前記従来構成のものでは、複数の吐出口１０７を有する吐出ノズルを用いて洗濯槽１０２の扉１０９側より奥行き方向に向けて洗浄水を洗濯物１１６に吐出し、洗濯物１１６を濡らしながら洗浄する方式においては、特に高容量の洗濯物１１６を洗濯する場合には、吐出口１０７近傍に存在した一部の洗濯物１１６のみが優先的に濡れ、該洗濯物１１６が前面にあることによって広い範囲に渡り、均一に洗濯物１１６を濡らすことが困難となり、洗濯工程の限られた時間の中では洗浄水が十分に浸透した洗濯物１１６とそうでない洗濯物１１６が存在することで洗いムラが生じ、洗濯物１１６全体として洗浄性能の向上を図ることが困難であるという課題を有していた。
【０００８】
本発明は、前記従来の課題を解決するもので、洗浄性能の向上したドラム式洗濯機を提供することを目的とする。
【課題を解決するための手段】
【０００９】
前記従来の課題を解決するために、本発明のドラム式洗濯機は、水受け槽内に回転自在に配設した回転ドラムと、前記回転ドラムを駆動するモータと、前記水受け槽内に給水する給水手段と、前記水受け槽内の洗浄水およびすすぎ水を排水する排水手段と、前記水受け槽に溜まっている洗浄水およびすすぎ水を前記回転ドラム内に循環させる循環ポンプと、前記モータ、前記循環ポンプ、記給水手段、前記排水手段を制御し、洗い工程、すすぎ工程、脱水工程の各工程を制御する制御手段とを備え、前記制御手段は、前記洗い工程完了後の前記洗浄水の排水において、所定水位で前記排水を停止した状態で、前記洗い工程後の１回目の脱水前のバランスコントロール動作を開始し、前記バランスコントロール動作時に前記循環ポンプを駆動させるものである。
【００１０】
これによって、洗い完了後のすすぎ工程の中間脱水のバランスコントロール時に水受け槽に溜めた洗浄水を循環シャワーにより洗濯物にかけることにより、前記バランスコントロール時に洗濯物に洗浄水の吸水と脱水が繰り返されることになるため、すすぎ工程で洗濯物はバランスコントロール時の遠心作用により洗われていることになり、洗浄性能を向上する効果が得られる。
【発明の効果】
【００１１】
本発明のドラム式洗濯機は、本発明のドラム式洗濯機は、洗濯時間の短縮と、すすぎ品質の向上を図ることができる。
【図面の簡単な説明】
【００１２】
【図１】本発明の実施の形態１におけるドラム式洗濯機の断面図
【図２】同ドラム式洗濯機のブロック回路図
【図３】同ドラム式洗濯機の洗い工程及び１回目のすすぎの中間脱水の動作を示すタイムチャート
【図４】従来のドラム式洗濯機の循環水の吐出方法を示した側断面概略図
【発明を実施するための形態】
【００１３】
第１の発明のドラム式洗濯機は、水受け槽内に回転自在に配設した回転ドラムと、前記回転ドラムを駆動するモータと、前記水受け槽内に給水する給水手段と、前記水受け槽内の洗浄水およびすすぎ水を排水する排水手段と、前記水受け槽に溜まっている洗浄水およびすすぎ水を前記回転ドラム内に循環させる循環ポンプと、前記モータ、前記循環ポンプ、記給水手段、前記排水手段を制御し、洗い工程、すすぎ工程、脱水工程の各工程を制御する制御手段とを備え、前記制御手段は、前記洗い工程完了後の前記洗浄水の排水時において、所定水位で前記排水を停止した状態で、前記回転ドラムの回転数を上昇させる工程を含む中間脱水のためのバランスコントロール動作を開始し、前記バランスコントロール
動作時に前記循環ポンプを駆動させるものである。
【００１４】
このような構成によって、洗い完了後の洗浄水の排水において、バランスコントロール時に洗濯物に洗浄水の吸水と脱水が繰り返されることになる。このため、洗濯物は、すすぎ工程でバランスコントロール時の遠心作用により洗われていることになり、洗浄性能を向上することができる。また、中間脱水のためのバランスコントロール動作時に循環ポンプを駆動させて洗濯物に洗浄水をかけるので、バランスのとれた状態になりやすく、早くに中間脱水の回転数に上昇することができる。このため、洗濯時間を不要に長引かせることがなく、洗濯時間を短縮することができる。
【００１５】
第２の発明は、第１の発明のドラム式洗濯機の前記制御手段は、前記バランスコントロール動作時における前記回転ドラムの回転数増加中に、前記循環ポンプの駆動により前記回転ドラムの回転数が失速する回転数よりも低い所定回転数で前記循環ポンプを停止させるものである。
【００１６】
このため、第１の発明の効果に加え、回転ドラムの回転が循環シャワーの影響により失速する回転数よりも低い回転数で循環シャワーを停止させるため、循環シャワーの影響により回転ドラムが失速することなく安定的にバランスコントロールから２回目のすすぎの中間脱水に移行することができる。このため、バランスコントロールの失敗により脱水時間をロスすることがない効果が得られる。
【００１７】
第３の発明は、第２の発明のドラム式洗濯機の洗濯物の布量を検知する布量検知手段をさらに備え、前記制御手段は、前記布量検知手段により前記所定回転数を決定するものである。
【００１８】
これにより、洗濯物量によりバランスコントロール時の循環シャワーを停止する回転数を決定できるため、より確実にバランスコントロールから２回目のすすぎの中間脱水に移行することができるため、バランスコントロールの失敗により脱水時間をロスしない効果が得られる。
【００１９】
第４の発明は、第１〜３のいずれか１つの発明のドラム式洗濯機の前記制御手段は、前記バランスコントロール時の前記循環ポンプ停止後に前記排水を開始するものである。
【００２０】
これによって、循環シャワーを停止し不要になった時点で水受け槽に溜まっている水を排水することにより、回転ドラムの回転数アップに対し、水受け槽に溜まっている水の影響を排除し、安定的にバランスコントロールから中間脱水に移行することができる効果が得られる。
【００２１】
第５の発明は、第１〜３のいずれか１つの発明のドラム式洗濯機の前記制御手段は、前記バランスコントロール動作時の循環ポンプ停止前に前記排水を開始するものである。
【００２２】
これによって、第１の発明の効果に加え、循環シャワーの停止よりも、排水が先に行われることにより回転ドラムの回転数に対しての水受け槽に残存する水を早く少なくできるため回転ドラム３の回転数アップが安全に行える効果が得られる。また、排水が早く終了するため水受け槽に残っている水の影響による回転数アップの遅れを抑えることができるため、中間脱水時間を短縮できる効果が得られる。
【００２３】
第６の発明は、第４または第５の発明の前記制御手段は、前記バランスコントロール動作後に、中間脱水回転数まで前記回転ドラムの回転数を増加させるものである。
【００２４】
これによって、第１の発明の効果に加え、回転ドラムが所定時間回転することによるバランスの確認後、中間脱水としての回転数まで回転ドラムの回転数アップを行っているため、安定して回転数アップを行うことができる。
【００２５】
第７の発明は、第１〜６のいずれか１つの発明のドラム式洗濯機の回転ドラムの回転軸を前上がりに傾斜させているものである。
【００２６】
これによって、少ないすすぎ水で洗濯物との接触を良好にすることができ、すすぎ効果を高めることができる。
【００２７】
以下、本発明の実施の形態１について、図面を参照しながら説明する。なお、実施の形態によって本発明が限定されるものではない。
【００２８】
（実施の形態１）
実施の形態１において、洗濯は主に洗い工程、すすぎ工程（１回目のすすぎ、２回目のすすぎ）からなる。以下、主に洗い工程及び１回目のすすぎでの動作及び効果について以下に説明を行う。
【００２９】
図１は、本発明の第１の実施の形態におけるドラム式洗濯機の断面図、図２は、本発明の第１の実施の形態におけるブロック回路図、図３は、洗い工程及び１回目のすすぎの中間脱水の動作を示すタイムチャートである。
【００３０】
図１〜図３において、洗濯機１の内部に水受け槽２が配設されている。水受け槽２の内側に洗濯槽としての回転ドラム３が水平方向から前上がりに傾斜した回転軸によって回転可能な状態で配設されている。回転ドラム３は、背面に接続されたモータ４により回転する。回転ドラム３は外周面に複数の通水孔（図示せず）が設けられ、回転ドラム３の内壁面には複数の突起板（図示せず）が設けられており、洗濯槽、脱水槽、乾燥槽としても機能する。
【００３１】
前上がりに設けられている水受け槽２の底部側の最低部には、取水口５が接続されており、排水弁６によって開閉される排水管７につながっている。取水口５と排水弁６の間からは取水口５から取り込んだ洗浄水を回転ドラム３に吐出する吐出口８につながった循環経路９が連通している。循環ポンプ１０の駆動により水受け槽２の洗浄水やすすぎ水を循環経路９を通り、回転ドラム３に循環シャワーとして吐出し、回転ドラム３内の洗濯物に循環水をかけることができる。給水弁１１は水受け槽２内または回転ドラム３内に水を給水する。水位検知手段１２は水受け槽２内の水位を検知する。
【００３２】
制御装置１３は、マイクロコンピュータで構成した制御手段１４を有し、パワースイッチング手段１５を介してモータ４、排水弁６、循環ポンプ１０、給水弁１１などの動作を制御し、洗い、すすぎ、脱水などの一連の工程を逐次制御する。入力設定手段１６は、運転コース等を設定するもので、制御手段１４は入力設定手段１６からの情報を入力して、その情報を基に表示手段１７を表示して使用者に知らせる。記憶手段１８は、制御手段１４により制御するのに必要なデータを記憶している。回転ドラム３の回転数を検知する回転数検知手段２１の情報が制御手段１４に送られ、制御手段１４がパワースイッチング手段１５を介して回転ドラム３の回転数を制御する。
【００３３】
本発明の洗い工程は大きく分類すると、衣類量を判定する重量検知工程、検知された重量によってあらかじめ定められた水量を水受け槽２及び回転ドラム３へ導入する給水工程、回転ドラム３を回転させて洗濯物を洗う撹拌洗い工程から構成されている。
【００３４】
重量検知工程では、洗濯機１の正面に設けられている扉（図示せず）より洗濯物が回転ドラム３に投入された後、回転ドラム３を短時間回転させる。モータ４のトルク量の大きさや、一定回転数まで回転ドラム３を回転させた後に停止させた時の回転ドラム３の回転が停止するまでの時間等から投入された洗濯物の量を自動的に判別する。制御手段１４が給水量及び洗濯時間を決定する。給水量、洗濯時間が決定されると次の給水工程に移る。
【００３５】
給水工程では給水弁１１が開かれ、洗剤ケース（図示せず）の指定量投入された洗剤を溶解させながら水受け槽２に水が供給される。水受け槽２内の水量が一定の水位に到達すると、制御手段１４は続いて撹拌洗い工程に移行する。
【００３６】
撹拌洗いの工程では、循環ポンプ１０を起動させ、水受け槽２の底部に溜まった洗浄水は循環ポンプ１０によって汲水され、循環経路９を経由して吐出口８より回転ドラム３内の洗濯物に向けて吐出される。ここで、吐出口８は素早く洗濯物を洗浄水によって濡らすため、扇状に洗浄水が吐出できる形状であることが好ましい。また、吐出口８からの吐出方法としては、回転ドラム３の前面下部にノズルを配設して直接吐出する形態でも、水受け槽２内に一旦吐出した後、水受け槽２前面の形状を回転ドラム３の内側に向け弧を描いた構造とし、洗浄水が水受け槽２の壁面に沿って流れながら回転ドラム３内に流れ込む方式であっても特に問題はない。さらに、吐出口８の位置は図１に示した位置に特に限定されるものではない。また、循環シャワーの吐出時に回転ドラム３をモータ４によって回転させていても静止させたままであっても特に問題は無いが、回転ドラム３内での洗濯物の移動を促進させ、洗濯物を満遍なく濡らすために回転ドラム３を回転させたほうが好ましい。また、撹拌洗い工程においては、回転ドラム３を回転させる回転数は洗濯物が回転ドラム３内に配設された突起板（図示せず）によって洗濯物が回転方向に沿って持ち上げられ、回転ドラム３の上部より重力によって落下する。これによって、たたき洗いが行われ、洗剤の洗濯物への浸透、排出により洗濯物の汚れを落す。また、たたき洗い時の回転ドラム３の回転数は、落下時の機械力が効果的に加えられるように回転ドラム３の壁面に遠心力によって張り付かない程度の回転数が好ましく、洗濯物の量にも依存するが５０ｒ／ｍｉｎ以下が好ましい。さらに、循環ポンプ１０を稼動させるタイミングとしては連続であっても間欠であっても問題はない。撹拌洗いの時間は特に限定されるものではないが、洗濯物が洗浄水で十分濡れる必要があり、３分以上行うことが好ましい。
【００３７】
洗い工程が終了すると、制御手段１４は、排水、中間脱水、給水撹拌を行う１回目のすすぎ工程に移行する。制御手段１４は、排水弁６に信号を送り水受け槽２内に溜まっている洗浄水の排水を開始する。制御手段１４は、水位が所定値Ｎ１に到達したことを確認すると排水弁６に信号を送り排水を停止する。その後、制御手段１４は、モータ４に信号を送り回転ドラム３を右廻り、左廻りに交互に数回タンブリングして、回転ドラム３の下に溜まっている洗濯物のほぐしを実施する。布ほぐし後、回転ドラム３の回転数を例えば１２０ｒ／ｍｉｎを目指して徐々にアップさせていく。制御手段１４は、布ほぐしの途中に、循環ポンプ１０に信号を送り、水受け槽２に溜まっている洗浄水を吐出口８からかけ始める。
【００３８】
これより、布ほぐしから１２０ｒ／ｍｉｎで回転ドラム３が回転している間は、洗濯物に循環シャワーにより水受け槽２に残存している洗浄水がかけられることになる。
【００３９】
この時、循環シャワーにより水受け槽２に残存している洗浄水を洗濯物にかけることにより、洗濯物の吸水量が増える。一方で、１回目のすすぎ工程における中間脱水前のバランスコントロール動作中に、回転ドラム３は約１２０ｒ／ｍｉｎで回転している。このため、回転ドラム３の回転による脱水が行われている。これにより、洗濯物は洗浄水の吸水と脱水が繰り返されることになる。つまり、洗濯物中の汚れは循環シャワーによりかけられた洗浄水中に移動し、回転ドラム３の回転により洗浄水として洗濯物から排出されるた
め、洗濯物の汚れはこのバランスコントロールにおいて洗濯物から除去される。
【００４０】
制御手段１４は、バランスコントロール動作時における回転ドラム３の回転数増加中において、所定回転数、例えば１５０ｒ／ｍｉｎを越えると、制御手段１４は循環ポンプ１０に信号を送り循環ポンプ１０の運転を停止さる。所定回転数は、循環ポンプ１０が駆動して循環シャワーが行われることによる影響で、回転ドラム３が失速する回転数よりも低い回転数である。回転ドラム３が失速する回転数は、循環シャワーの強さ、すなわち循環ポンプの回転数や洗濯物の量等で異なる。
【００４１】
回転ドラム３の回転数が１５０ｒ／ｍｉｎを越えると、制御手段１４は排水弁６にも信号を送り排水を開始する。排水の開始は、循環ポンプ１０の停止と同時であっても、停止後であっても、停止前であっても良い。循環シャワーの停止よりも排水が後に行われることで、循環シャワーを停止し不要になった時点で水受け槽２に溜まっている水を排水することができる。これにより、回転ドラム３の回転数増加対し、水受け槽２に溜まっている水の影響を排除し、安定的にバランスコントロールから中間脱水に移行することができる。また、循環シャワーの停止よりも、排水が先に行われることで回転ドラム３の回転数増加に対して、水受け槽２に残存する水を早く少なくできるため回転ドラム３の回転数増加がスムーズに行える。
【００４２】
バランスコントロール動作はその後も継続され、制御手段１４はモータ４の回転数を徐々に増加させて制御し、回転ドラム３の回転数をさらに増加させる。制御手段１４は回転ドラム３の回転数を約３７０ｒ／ｍｉｎまで増加させる。所定時間安定的に回転する事を確認すると、本格的に中間脱水に移行する。回転ドラム３の回転数を脱水で設定された脱水回転数である、例えば９００ｒ／ｍｉｎまで高くし、脱水回転数で所定時間回転する。その後ブレーキにより回転数を低下させ回転ドラム３を停止させる。
【００４３】
１回目のすすぎ工程での中間脱水完了後、回転ドラム３に洗濯物が張りついた状態になっている。制御手段１４は給水弁１１を開き、水受け槽２にすすぎ水を溜めていく。また、制御手段１４は、パワースイッチング手段１５を介して回転ドラム３の撹拌運転を行い、回転ドラム３に張り付いた洗濯物を回転ドラム３より引き剥がし、水受け槽２に溜まったすすぎ水の中の洗濯物を撹拌し、すすぎを行う。すすぎ水が水受け槽２に溜まり、水位検知手段１２が所定水位を検知すると、制御手段１４は循環ポンプ１０に信号を送り、循環経路９を通ったすすぎ水が吐出口８より吐出され循環シャワーにより洗濯物にすすぎ水をかけ始める。また、水位検知手段１２が所定水位を検知すると、制御手段１４は給水を停止し、回転ドラム３の所定水量給水完了後の撹拌時間の計測を開始する。撹拌時間が所定時間を越えると、制御手段１４は回転ドラム３の運転を停止させると共に循環ポンプ１０も停止させ、１回目のすすぎ工程は完了する。
【００４４】
１回目のすすぎ工程が完了し、２回目のすすぎ工程にはいると、制御手段１４は、排水弁６に信号を送り水受け槽２内に溜まっているすすぎ水の排水を開始すると共に、モータ４に信号を送り脱水を行うために必要な回転ドラム３内にある洗濯物のバランスコントロール動作を開始する。制御手段１４はモータ４の回転数を徐々に増加させて制御し、制御手段１４は回転ドラム３の回転数を約３７０ｒ／ｍｉｎまで回転数をアップさせる。この時に、制御手段１４は、回転ドラム３が約３７０ｒ／ｍｉｎの回転数で所定時間安定的に回転する事を確認すると、本格的に脱水に移行し、脱水で設定された脱水回転数である例えば９００ｒ／ｍｉｎまで高くする。脱水回転数で所定時間回転し、その後ブレーキにより回転数を低下させ回転ドラム３を停止させる。
【００４５】
２回目のすすぎでの脱水の完了後、回転ドラム３に洗濯物が張りついた状態になっている。制御手段１４は給水弁１１を開き水受け槽２にすすぎ水を溜めていくと共に、パワー
スイッチング手段１５を介して回転ドラム３が撹拌運転を行い、回転ドラム３に張り付いた洗濯物を回転ドラム３より引き剥がすと共に、水受け槽２に溜まったすすぎ水の中の洗濯物を撹拌し、すすぎを行う。すすぎ水が水受け槽２に溜まり、水位検知手段１２が所定水位を検知すると、制御手段１４は循環ポンプ１０に信号を送り、循環経路９を通ったすすぎ水が吐出口８より吐出され循環シャワーにより洗濯物にすすぎ水をかけることを開始する。また、水位検知手段１２が所定水位を検知すると、制御手段１４は給水を停止すると共に、回転ドラム３の所定水量給水完了後の撹拌時間の計測を開始する。前記撹拌時間が所定時間を越えると、制御手段１４は回転ドラム３の運転を停止させると共に循環ポンプ１０も停止させ、２回目のすすぎ工程は完了する。
【００４６】
２回目のすすぎ工程が完了し、すすぎ回数が２回に設定されていると、洗濯は終了し、制御手段１４は洗濯機本体１の電源を切る。
【００４７】
以上の洗濯において、１回目のすすぎ工程の中間脱水では、バランスコントロール動作時に水受け槽２に溜めた洗浄水を循環シャワーにより洗濯物にかけることにより、洗濯物に対し洗浄水の吸水と脱水が繰り返される。これにより、洗濯物中の汚れはバランスコントロール時の遠心作用により洗浄水に移動し、洗濯物の外に出る。このため洗濯物はすすぎ工程の排水でも洗われていることになり、洗浄性能を向上できる。また、循環シャワーによってバランスコントロール動作時に洗濯物に水がかけられるので、洗濯物がバランスのとれた状態になりやすく、早くに回転ドラム３が中間脱水の回転数に上昇することができる。このため、洗濯時間を不要に長引かせることがなく、洗濯時間を短縮することができる。
【００４８】
また、通常洗濯物に循環シャワーをかけながら回転ドラム３の回転数を増加させて行った場合、循環シャワーのために必要な水受け槽２に溜まっている循環シャワー用の水の抵抗、水受け槽２に溜まっている水に溶解している洗剤や洗濯物に残存している洗剤による泡等により、回転ドラム３はある程度の回転数までその回転を上げると回転ドラム３を回転させるための力が大きくなる。このため、回転ドラム３を回転させるためのモータ４のパワーが不足し失速する。また、この失速する回転数は、洗濯物量に対して異なる。そこで、洗濯物量に対しての失速する回転数を決定する。これをもとに失速する回転数よりも低い回転数を制御手段１４がデータとして把握する。回転ドラム３の回転数に合わせて循環ポンプ１０の停止と排水の開始を制御することにより、すすぎ水を吐出させながら回転させた場合にも、回転ドラム３の回転数を失速させることがなく中間脱水としてうまく機能できる。
【００４９】
またこの時、制御手段１４は排水完了後の例えば３７０ｒ／ｍｉｎで回転ドラム３が所定時間回転することによるバランスの確認後、中間脱水としての回転数まで回転ドラム３の回転数アップを行っているため、安定して回転数アップを行うことができる。
【００５０】
加えて、本ドラム式洗濯機は、回転ドラム３の回転軸を前上がりに傾斜させたことにより、少ない洗浄水で洗濯物との接触を良好にすることができ、洗濯物に対する洗浄性能を高めることができる。
【００５１】
なお、本発明においては、循環シャワー用の循環ポンプ１０の回転数や回転ドラム３の回転数は特に規定するものではない。また、循環シャワーのＯＮ−ＯＦＦに関しては、１回目のすすぎの中間脱水のバランスコントロール時を除いて特に規定するものではない。
【産業上の利用可能性】
【００５２】
以上のように、本発明にかかるドラム式洗濯機は、１回目のすすぎ工程の中間脱水前のバランスコントロール時に、水受け槽２に溜めた洗浄水を循環シャワーにより洗濯物にか
けることにより、洗濯物に洗浄水の吸水と脱水が繰り返されることになるため、すすぎ工程で洗濯物はバランスコントロール時の遠心作用によりその汚れ成分が洗濯物から洗浄水に移動するため洗われていることになり、洗浄性能を向上させることができるので、ドラム式洗濯機として有用である。
【符号の説明】
【００５３】
１  洗濯機本体
２  水受け槽
３  回転ドラム
４  モータ
５  取水口
６  排水弁（排水手段）
７  排水管
８  吐出口
９  循環経路
１０  循環ポンプ
１１  給水弁（排水手段）
１２  水位検知手段
１３  制御装置
１４  制御手段
１５  パワースイッチング手段
１６  入力設定手段
１７  表示手段
【図１】
2013013537.tif 000003
【図２】
2013013537.tif 000004
【図３】
2013013537.tif 000005
【図４】
2013013537.tif 000006